(57)【要約】      （修正有）【課題】緩み止めナットの緩みを確実に阻止する。【解決手段】締付ナット３の上面の相対する２箇所より、ボルトのねじ山２に向う下勾配の傾斜溝４を設け、一方その締付ナットの上に載せる半円環状板５には、その両端の延長部を折り曲げて形成した下向きの三角形突出部７を設ける、そしてこの２枚の半円環状板５を円環状に並べて、これらの三角形突出部７が締付ナットの傾斜溝４に嵌合するように締付ナット３の上面に載せ、その上より緩み止めナット１２を強く締め込む、一方半円環状板は切込みを入れて、僅かに変形できるよう柔軟性を与えておき、半円環状板を緩み止めナットで締め込むことにより、その三角形突出部は傾斜溝４に沿うて押下げられると、ボルトの中心部に向い少し移動して、その側面の切刃はねじ山に食い込み、締付ナットの戻り回転は確実に阻止される。【選択図】図１
2018080824.tif 000002
【特許請求の範囲】
【請求項１】
ボルトに締め込むナットの緩み止めの構造において、締付ナット（３）の上面の相対する２箇所より、ボルトのねじ山（２）に向う下勾配の傾斜溝（４）を設け、一方その締付ナットに載せる半円環状板（５）には、その両端の延長部を折り曲げて形成した下向きの三角形突出部（７）を設ける、そしてこの２枚の半円環状板（５）を、その両端の三角形突出部（７）が合掌するように重ね合せて円環状の形状とし、この重ね合わされた両端の三角形突出部（７）を上部材（１５）の上より、ボルト（１）に締め込んでいる締付ナットの相対する２箇所の傾斜溝（４）に嵌合するように締付ナットの上面に載せ、その上より緩み止めナット（１２）を強く締め込む、一方半円環状板（５）は、その外周及び内周に数ヶ所の切込み（１０）及び（１１）を設けて、その両端の三角形突出部（７）が外力によりボルトの中心部に僅かに移動できる柔軟性を与えているので、この半円環状板は緩み止めナットで締め込まれることにより、その三角形突出部は締付ナットの傾斜溝（４）の傾斜面に沿うて押下げられると共に、ボルトの中心部に向い少し移動して三角形突起部の側面の切刃（８）は、ボルトのねじ山（２）にほぼ直交して食い込むことが可能になる、このようにして２枚の半円環状板の両端の三角形突出部側面の切刃はねじ山に食い込み、締付ナットの戻り回転は確実に阻止される、次に半円環状板の外周に設けた多数の菊形の外歯（９）を緩み止めナット（１２）の鍔部（１３）の外周に設けた切溝（１４）に折り曲げて噛合せることにより、緩み止めナットは半円環状板の三角形突出部（７）と締付ナットの傾斜溝（４）との嵌合により、締付ナットと一体になっている半円環状板を介して締付ナットに固定されるので、緩み止めナットは振動等の外力により緩むことは阻止される、これにより締付ナットの締め力を確実に保持しうるようにした、ナットの緩み止めの構造。
【請求項２】
特許請求の範囲、請求項１に記載の２枚の半円環状板（５）を、その両端の三角形突出部（７）が合掌するように重ね合せて円環状の形状とする代わりに、その重ね合せる面の間に硬化した切刃鋼片（１８）を挟み、それに接する半円環状の三角形突出部の片側又は両側に固定した後、円環状の形状としてこの切刃鋼片を挟んだ三角形突出部を締付ナットの相対する２箇所の傾斜溝に嵌合するようにし、その上に載せ緩み止めナット（１２）の締め込みにより、切刃鋼片をボルトのねじ山（２）に食込ませて、締付ナットの戻り回転を阻止するようにした、ナットの緩み止めの構造。
【発明の詳細な説明】
【技術分野】
【０００１】  本発明は強い締付け力を必要とする並目ねじボルトに締め込んだナットの緩み止めを行う方法である。
【背景技術】
【０００２】  緩み止めのためボルトにナットを固定する方法としては、ナットとボルトを貫通する共孔を開けここに割ピンを押込んで固定する方法があるが、この穿孔は現地で行うこともあり面倒であり、又一度ねじ戻しの後、再びナットを締めこむときは合致しない欠点があり、又ころがり軸受を押え込む時に使用するナットは細目ねじであり、大きな荷重には耐えきれず、しかも軸には溝加工を必要とするため広範囲に使用する並目ねじボルトに用いることは不適である、又ねじ面の摩擦力を高めるためのダブルナット式の緩み止めナットもあるが、この効果は不明である。
【発明の開示】
【発明が解決しようとする課題】
【０００３】  本発明は強力な締付け力を必要とする並目ねじのボルトに予め溝加工又は穿孔を施すことなく、緩み止めナットを締め込むことにより、締付ナットの傾斜溝に半円環状板の三角形突出部を降下させ、その切刃をボルトのねじ山に食い込ませると共に半環状円板により緩み止めナットのゆるみを確実に阻止するようにする。
【課題を解決するための手段】
【０００４】  ボルトに締め込むナットの緩み止めの構造において、締付ナット３の上面の相対する２箇所より、ボルトのねじ山２に向う下勾配の傾斜溝４を設け、一方その締付ナットに載せる半円環状板５には、その両端の延長部を折り曲げて形成した下向きの三角形突出部７を設ける、そしてこの２枚の半円環状板５を、その両端の三角形突出部７が合掌するように重ね合せて円環状の形状とし、この重ね合わさられた両端の三角形突出部７を上部材１５の上より、ボルト１に締め込んでいる締付ナットの相対する２箇所の傾斜溝４に嵌合するように締付ナットの上面に載せ、その上より緩み止めナット１２を強く締め込む。【０００５】  一方半円環状板５は、その外周及び内周に数ヶ所の切込み１０及び１１を設けて、その両端の三角形突出部７が外力によりボルトの中心部に僅かに移動できる柔軟性を与えているので、この半円環状板は緩み止めナットで締め込まれることにより、その三角形突起部は締付ナットの傾斜溝４の傾斜面に沿うて押下げられると共に、ボルトの中心部に向い少し移動して三角形突起部の側面の切刃８は、ボルトのねじ山２にほぼ直交して食い込むことが可能になる、このようにして２枚の半円環状板の両端の三角形突出部側面の切刃はねじ山に食い込み、締付ナットの戻り回転は確実に阻止される。【０００６】  次に半円環状板の外周に設けた多数の菊形の外歯９を緩み止めナット１２の鍔部１３の外周に設けた切溝１４に折り曲げて噛合せることにより、緩み止めナットは半円環状板の三角形突出部７と締付ナットの傾斜溝４との嵌合により、締付ナットと一体になっている半円環状板を介して締付ナットに固定されるので、緩み止めナットは振動等の外力により緩むことは阻止される、これにより締付ナットの締め力を確実に保持しうるようにする。
【発明の効果】
【０００７】  本発明の実施により並目ねじボルトにナットを強く締め込んだ後、確実な緩み止めが可能になり、鉄道車両等振動の激しいナットの脱落を防止しうるようになる。
【図面の簡単な説明】
【０００８】
【図１】本発明の実施形態の一例として、ボルトに締付用ナットを締め込み、緩み止を行った状態の縦断面図
【図２】図１の平面図
【図３】図１の側面図
【図４】図１、図２及び図３に組込まれている半円環状板の縦断面図
【図５】図４の平面図
【図６】図４のＡ−Ａ断面図
【図７】本発明の実施形態の一例として、２枚の半円環状板の間に切刃鋼片を固定した円環状板の縦断面図
【図８】図７の平面図
【図９】図７のＢ−Ｂ断面図
【発明を実施するための形態】
【０００９】  ボルトに締め込むナットの緩み止めの構造において、締付ナット３の上面の相対する２箇所より、ボルトのねじ山２に向う下勾配の傾斜溝（４）を設け、一方その締付ナットに載せる半円環状板５には、その両端の延長部を折り曲げて形成した下向きの三角形突出部７を設ける、そしてこの２枚の半円環状板５を、その両端の三角形突出部７が合掌するように重ね合せて円環状の形状とし、この重ね合わさられた両端の三角形突出部７をすでに上部材１５の上より、ボルト１に締め込んでいる締付ナットの相対する２箇所の傾斜溝４に嵌合するように締付ナットの上面に載せ、その上より緩み止めナット１２を強く締め込む、このとき２枚の半円環状板相互を抵抗熔接等で結合しておいてもよい。
【００１０】  一方半円環状板５は、その外周及び内周に数ヶ所の切込み１０及び１１を設けて、その両端の三角形突出部７が外力によりボルトの中心部に僅かに移動できる柔軟性を与えているので、この半円環状板は緩み止めナットで締め込まれることにより、その三角形突出部は締付ナットの傾斜溝４の傾斜面に沿うて押下げられると共に、ボルトの中心部に向い少し移動して三角形突起部の側面の切刃８は、ボルトのねじ山２にほぼ直交して食い込むことが可能になる、このようにして２枚の半円環状板の両端の三角形突出部側面の切刃はねじ山に食い込み、締付ナットの戻り回転は確実に阻止される。
【００１１】  上記のように半円環状板に柔軟性を与えるために、この材質としてはスプリング鋼を使用することは望ましく、又三角形突出部側面の切刃６は熱処理により硬化した上鋭くして、ボルトのねじ山２に容易に食込みできるようにする、又菊形の外歯９部分は焼戻して容易に折り曲げうるようにしておく。
【００１２】  次に半円環状板の外周に設けた多数の菊形の外歯９を緩み止めナット１２の、鍔部１３の外周に設けた切溝１４に折り曲げて噛合せることにより、緩み止めナットは半円環状板の三角形突出部７と締付ナットの傾斜溝４との嵌合により、締付ナットと一体になっている半円環状板を介して締付ナットに固定されるので、緩み止めナットは振動等の外力により緩むことは阻止される、これにより締付ナットの締め力を確実に保持しうるようにする。
【００１３】  図７、図８及び図９は２枚の半円環状板の三角形突出部７の間に切刃鋼片１８を挟み込み、円環状の形状としたものであって介在させる切刃鋼片は熱処理により硬化した上、鋭くして容易にボルトのねじ山２に食込みできるようにしている、そして２枚の半円環状板の三角突出部に挟持された切刃鋼片は、その片側又は両側の三角突出部に抵抗熔接等により固定されている。
【符号の説明】
【００１４】  １・・・ボルト                        ２・・・ボルトのねじ山
３・・・締付ナット                    ４・・・締付ナットの傾斜溝
５・・・半円環状板                    ６・・・半円環状板のボルト用孔
７・・・半円環状板の三角形突出部      ８・・・三角形突出部の側面切刃
９・・・半円環状板の菊形の外歯      １０・・・半円環状板外周の切込
１１・・・半円環状板内周の切込        １２・・・緩み止めナット
１３・・・緩み止めナットの鍔部        １４・・・鍔部外周の切溝
１５・・・上部材                      １６・・・上部材のボルト孔
１７・・・下部材                      １８・・・切刃鋼片
【図１】
2018080824.tif 000003
【図２】
2018080824.tif 000004
【図３】
2018080824.tif 000005
【図４】
2018080824.tif 000006
【図５】
2018080824.tif 000007
【図６】
2018080824.tif 000008
【図７】
2018080824.tif 000009
【図８】
2018080824.tif 000010
【図９】
2018080824.tif 000011